(57)【要約】【課題】本発明は、ベーンに対する押圧構造を省略化し、コストの低減と信頼性の向上を得るロータリ式密閉形圧縮機と冷凍サイクル装置を提供する。【解決手段】ケース内高圧とし、シリンダ室１４ａ，１４ｂを備えた第１、第２のシリンダ８Ａ，８Ｂと、シリンダ室を二分するベーンとベーン室を具備し、第１のシリンダ室のベーンはばね部材２６によって押圧付勢され、第２のシリンダ室のベーンはベーン室に導かれるケース内圧力と、シリンダ室に導かれる吸込み圧もしくは吐出圧との差圧に応じて押圧付勢され、吸込み圧もしくは吐出圧を導く圧力切換え機構Ｋは、一端が冷凍サイクルの高圧側他端が吸込み管に接続され中途部に第１の開閉弁２８を有する分岐管Ｐ１と、吸込み管１６ｂに分岐管接続部ｄよりも上流側でアキュームレータ内の油戻し孔２４ｂよりも下流側に設けられる第２の開閉弁２９もしくは逆止弁２９Ａを具備する。【選択図】    図１
2005009455.tif 000002
【特許請求の範囲】
【請求項１】
冷凍サイクル装置に用いられ、密閉ケース内に、電動機部およびこの電動機部と連結されるロータリ式の圧縮機構部を収容し、蒸発器で蒸発した冷媒をアキュームレータを介して上記圧縮機構部に吸込み、ここで圧縮した冷媒ガスを一旦密閉ケース内に吐出してケース内高圧とするロータリ式密閉形圧縮機において、
上記圧縮機構部は、それぞれ偏心ローラが偏心回転自在に収容されるシリンダ室を備えた第１のシリンダおよび第２のシリンダと、これら第１のシリンダと第２のシリンダに設けられ、その先端縁が上記偏心ローラの周面に当接するよう押圧付勢され、偏心ローラの回転方向に沿ってシリンダ室を二分するベーンおよびそれぞれの上記ベーンの背面側端部を収容するベーン室とを具備し、
上記第１のシリンダに設けられるベーンは、上記ベーン室に配備されるばね部材によって押圧付勢され、
上記第２のシリンダに設けられるベーンは、上記ベーン室に導かれるケース内圧力と、上記シリンダ室に導かれる吸込み圧もしくは吐出圧との差圧に応じて押圧付勢され、
上記第２のシリンダのシリンダ室に吸込み圧もしくは吐出圧を導く手段は、
一端が冷凍サイクルの高圧側に接続され、他端が上記アキュームレータから上記第２のシリンダのシリンダ室に連通する吸込み管に接続され、中途部に第１の開閉弁を有する分岐管と、
上記吸込み管における、上記分岐管との接続部よりも上流側であり、かつ上記アキュームレータ内の吸込み管部に開口する油戻し孔よりも下流側に設けられる第２の開閉弁もしくは逆止弁と
を具備することを特徴とするロータリ式密閉形圧縮機。
【請求項２】
上記第２のシリンダのシリンダ室に吸込み圧もしくは吐出圧を導く手段を構成する上記第２の開閉弁もしくは逆止弁は、上記アキュームレータに対する上記吸込み管との接合部位から所定間隔を存して設けられることを特徴とする請求項１記載のロータリ式密閉形圧縮機。
【請求項３】
上記第２のシリンダのシリンダ室に吸込み圧もしくは吐出圧を導く手段を構成する上記第２の開閉弁もしくは逆止弁は、上記密閉ケースとアキュームレータとの間で、かつ密閉ケースの外周面とアキュームレータの外周面との接線で形成される投影面積内に設けられることを特徴とする請求項１記載のロータリ式密閉形圧縮機。
【請求項４】
上記第２のシリンダのシリンダ室に連通する吸込み管は、中途部において２分割され、一方の分割吸込み管が上記アキュームレータに固着され、他方の分割吸込み管が上記密閉ケースに固着され、これら分割吸込み管相互の連結部内に上記第２の開閉弁もしくは逆止弁が挿着されることを特徴とする請求項１記載のロータリ式密閉形圧縮機。
【請求項５】
上記アキュームレータと、上記第２の開閉弁もしくは逆止弁は、互いに並べて配置されることを特徴とする請求項１記載のロータリ式密閉形圧縮機。
【請求項６】
冷凍サイクル装置に用いられ、密閉ケース内に、電動機部およびこの電動機部と連結されるロータリ式の圧縮機構部を収容し、蒸発器で蒸発した冷媒をアキュームレータを介して上記圧縮機構部に吸込み、ここで圧縮した冷媒ガスを一旦密閉ケース内に吐出してケース内高圧とするロータリ式密閉形圧縮機において、
上記圧縮機構部は、それぞれ偏心ローラが偏心回転自在に収容されるシリンダ室を備えた第１のシリンダおよび第２のシリンダと、これら第１のシリンダと第２のシリンダに設けられ、その先端縁が上記偏心ローラの周面に当接するよう押圧付勢され、偏心ローラの回転方向に沿ってシリンダ室を二分するベーンおよびそれぞれの上記ベーンの背面側端部を収容するベーン室とを具備し、
上記第１のシリンダに設けられるベーンは、上記ベーン室に配備されるばね部材によって押圧付勢され、
上記第２のシリンダに設けられるベーンは、上記ベーン室に導かれるケース内圧力と、上記シリンダ室に導かれる吸込み圧もしくは吐出圧との差圧に応じて押圧付勢され、
上記第２のシリンダのシリンダ室に吸込み圧もしくは吐出圧を導く手段は、
一端が冷凍サイクルの高圧側に接続され、他端が上記アキュームレータから上記第２のシリンダのシリンダ室に連通する吸込み管に接続され、中途部に第１の開閉弁を有する分岐管と、
上記吸込み管における上記分岐管の接続部の上流側で、かつ上記アキュームレータ内の吸込み管部に設けられる第２の開閉弁もしくは逆止弁と
を具備することを特徴とするロータリ式密閉形圧縮機。
【請求項７】
冷凍サイクル装置に用いられ、密閉ケース内に、電動機部およびこの電動機部と連結されるロータリ式の圧縮機構部を収容し、蒸発器で蒸発した冷媒をアキュームレータを介して上記圧縮機構部に吸込み、ここで圧縮した冷媒ガスを一旦密閉ケース内に吐出してケース内高圧とするロータリ式密閉形圧縮機において、
上記圧縮機構部は、それぞれ偏心ローラが偏心回転自在に収容されるとともに、第１のアキュームレータおよび第２のアキュームレータと吸込み管を介して連通するシリンダ室を備えた第１のシリンダおよび第２のシリンダと、これら第１のシリンダと第２のシリンダに設けられ、その先端縁が上記偏心ローラの周面に当接するよう押圧付勢され、偏心ローラの回転方向に沿ってシリンダ室を二分するベーンおよびそれぞれの上記ベーンの背面側端部を収容するベーン室とを具備し、
上記第１のシリンダに設けられるベーンは、上記ベーン室に配備されるばね部材によって押圧付勢され、
上記第２のシリンダに設けられるベーンは、上記ベーン室に導かれるケース内圧力と、上記シリンダ室に導かれる吸込み圧もしくは吐出圧との差圧に応じて押圧付勢され、
上記第２のシリンダのシリンダ室に吸込み圧もしくは吐出圧を導く手段は、
一端が冷凍サイクルの高圧側に接続され、他端が上記第２のアキュームレータの上流側もしくは下流側の冷媒管に接続され、中途部に第１の開閉弁を有する分岐管と、
上記第２のアキュームレータの上流側もしくは下流側における冷媒管で、上記分岐管の接続部よりも上流部に設けられる開閉弁もしくは逆止弁と
を具備することを特徴とするロータリ式密閉形圧縮機。
【請求項８】
上記請求項１ないし請求項７のいずれかに記載のロータリ式密閉形圧縮機と、凝縮器、膨張機構および蒸発器で冷凍サイクルを構成することを特徴とする冷凍サイクル装置。
【発明の詳細な説明】
【０００１】
【発明の属する技術分野】
本発明は、たとえば空気調和機の冷凍サイクルを構成するロータリ式密閉形圧縮機と、このロータリ式密閉形圧縮機を用いて冷凍サイクルを構成する冷凍サイクル装置に関する。
【０００２】
【従来の技術】
一般的なロータリ式密閉形圧縮機の構成は、密閉ケース内に電動機部およびこの電動機部と連結される圧縮機構部を収容しており、圧縮機構部で圧縮したガスを一旦密閉ケース内に吐出する、ケース内高圧形となっている。
【０００３】
上記圧縮機構部は、シリンダに設けられるシリンダ室に偏心ローラが収容され、シリンダにはベーン室が設けられていて、ここにベーンが摺動自在に収納される。ベーンの先端縁は、常にシリンダ室側へ突出して偏心ローラの周面に弾性的に当接するよう圧縮ばねによって押圧付勢される。シリンダ室はベーンによって偏心ローラの回転方向に沿い二室に区分され、一室側に吸込み部が連通され、他室側に吐出部が連通される。吸込み部には吸込み管が接続され、吐出部は密閉ケース内に開口される。
【０００４】
ところで、近年、上記シリンダを上下に２セット備えた、２シリンダタイプのロータリ式密閉形圧縮機が標準化されつつある。このような圧縮機において、常時圧縮作用をなすシリンダと、必要に応じて圧縮−停止の切換えを可能としたシリンダを備えることができれば、仕様が拡大されて有利となる。
【０００５】
たとえば、［特許文献１］には、シリンダ室を２室備え、必要に応じていずれか一方のシリンダ室のベーンをローラから強制的に離間保持するとともに、そのシリンダ室を高圧化して圧縮作用を中断させる高圧導入手段を備えたことを特徴とする技術が開示されている。
【０００６】
また、［特許文献２］には、密閉容器内から吸込み管へ、高圧導入手段としてのバイパス通路を設けている。そして、一方のシリンダ室では圧縮作用をなさない休筒運転時も、ベーンがローラに弾性部材の作用で接触しており、常時、圧縮室はベーンによって仕切られている。
【０００７】
【特許文献１】
特開平１−２４７７８６号公報
【０００８】
【特許文献２】
特許  第２８０３４５６号
【０００９】
【発明が解決しようとする課題】
上述した［特許文献１］の圧縮機は機能的には優れているが、高圧導入手段を構成するために、一方のシリンダ室と密閉ケース内とを連通する高圧導入孔を設け、冷凍サイクルに二段絞り機構を設け、この絞り機構の中間部から分岐して一方側のベーン室に連通し、中途部に電磁開閉弁を備えたバイパス冷媒管を設けてなる。
【００１０】
すなわち、圧縮機に対して高圧導入手段をなすための孔明け加工が必要であるとともに、冷凍サイクル上の絞り装置を二段絞り機構としなければならず、さらにこの二段絞り機構とシリンダ室との間にバイパス冷媒管を接続するなど、構成が複雑化してコストに悪影響がある。
【００１１】
また、［特許文献２］の技術では、密閉容器に吐出側と吸込み側をバイパスするバイパス管の接続工程が必要となってコストに悪影響があり、かつ休筒運転時においても常時ベーンがローラに弾性的に接触していることにより、多少の圧縮仕事の存在や、摺動ロスにより効率が低下してしまう。
【００１２】
本発明は上記事情にもとづきなされたものであり、その目的とするところは、第１のシリンダと第２のシリンダを備えることを前提として、一方のシリンダのベーンに対する押圧付勢構造を省略化して潤滑性および信頼性の向上が得られ、部品数および加工手間の軽減を図ってコストの低減に寄与するロータリ式密閉形圧縮機および、このロータリ式密閉形圧縮機を備えた冷凍サイクル装置を提供しようとするものである。
【００１３】
【課題を解決するための手段】
上記目的を満足するため本発明は、冷凍サイクル装置に用いられ、密閉ケース内に電動機部およびこの電動機部と連結されるロータリ式の圧縮機構部を収容し、蒸発器で蒸発した冷媒をアキュームレータを介して圧縮機構部に吸込み、ここで圧縮した冷媒ガスを一旦密閉ケース内に吐出してケース内高圧とするロータリ式密閉形圧縮機において、上記圧縮機構部は、それぞれ偏心ローラが偏心回転自在に収容されるシリンダ室を備えた第１のシリンダおよび第２のシリンダと、これら第１のシリンダと第２のシリンダに設けられその先端縁が偏心ローラの周面に当接するよう押圧付勢され偏心ローラの回転方向に沿ってシリンダ室を二分するベーンおよびそれぞれのベーンの背面側端部を収容するベーン室とを具備し、第１のシリンダに設けられるベーンはベーン室に配備されるばね部材によって押圧付勢され、第２のシリンダに設けられるベーンはベーン室に導かれるケース内圧力とシリンダ室に導かれる吸込み圧もしくは吐出圧との差圧に応じて押圧付勢され、上記第２のシリンダのシリンダ室に吸込み圧もしくは吐出圧を導く手段は、一端が冷凍サイクルの高圧側に接続され他端がアキュームレータから第２のシリンダ室に連通する吸込み管に接続され中途部に第１の開閉弁を有する分岐管と、吸込み管における分岐管との接続部よりも上流側でありかつアキュームレータ内の吸込み管部に開口する油戻し孔よりも下流側に設けられる第２の開閉弁もしくは逆止弁とを具備する。
【００１４】
上記目的を満足するため、本発明の冷凍サイクル装置は、上述のロータリ式密閉形圧縮機と、凝縮器、膨張機構および蒸発器で冷凍サイクルを構成する。
【００１５】
上述の課題を解決する手段を採用することにより、一方のシリンダのベーンに対する押圧付勢構造を省略化して潤滑性および信頼性の向上が得られ、部品数および加工手間の軽減を図ってコストの低減に寄与する。
【００１６】
【発明の実施の形態】
以下、本発明の実施の形態を図面にもとづいて説明する。
図１は、第１の実施の形態のロータリ式密閉形圧縮機Ｒの断面構造および、このロータリ式密閉形圧縮機Ｒを備えた冷凍サイクル装置の冷凍サイクル構成図である。
はじめにロータリ式密閉形圧縮機Ｒから説明すると、１は密閉ケースであって、この密閉ケース１内の下部には後述する圧縮機構部２が設けられ、上部には電動機部３が設けられる。これら電動機部３と圧縮機構部２とは回転軸４を介して連結される。密閉ケース１の底部には潤滑油の溜り部Ｏが形成されていて、潤滑油としてポリオールエステル油（冷媒によっては鉱油、アルキルベンゼン、ＰＡＧ、フッ素系油でもよい）が用いられる。
【００１７】
上記電動機部３は、たとえばブラシレスＤＣ同期モータ（ＡＣモータもしくは商用モータでもよい）が用いられていて、密閉ケース１の内面に固定されるステータ５と、このステータ５の内側に所定の間隙を存して配置され、かつ上記回転軸４が介挿されるロータ６とから構成される。この電動機部３は、運転周波数を可変するインバータ３０に接続されるとともに、インバータ３０を介して、このインバータ３０を制御する制御部４０に電気的に接続される。
【００１８】
上記圧縮機構部２は、回転軸４の下部に、中間仕切り板７を介して上下に配設される第１のシリンダ８Ａと、第２のシリンダ８Ｂを備えている。これら第１、第２のシリンダ８Ａ，８Ｂは、互いに外形形状寸法が相違し、かつ内径寸法が同一となるよう設定されている。
【００１９】
第１のシリンダ８Ａの外径寸法は密閉ケース１の内径寸法よりも僅かに大に形成され、密閉ケース１内周面に圧入されたうえに、密閉ケース１外部からの溶接加工によって位置決め固定される。第１のシリンダ８Ａの上面部には主軸受９が重ね合わされ、バルブカバーａとともに取付けボルト１０を介してシリンダ８Ａに取付固定される。第２のシリンダ８Ｂの下面部には副軸受１１が重ね合わされ、バルブカバーｂとともに取付けボルト１２を介して第１のシリンダ８Ａに取付固定される。
【００２０】
上記中間仕切板７および副軸受け１１の外径寸法は第２のシリンダ８Ｂの内径寸法よりもある程度大であり、しかもこのシリンダ８Ｂの内径位置がシリンダ中心からずれている。そのため、第２のシリンダ８Ｂの外周一部は中間仕切板７および副軸受け１１の外径よりも径方向に突出している。
【００２１】
一方、上記回転軸４は、中途部と下端部が上記主軸受９と上記副軸受１１に回転自在に枢支される。さらに回転軸４は各シリンダ８Ａ，８Ｂ内部を貫通するとともに、略１８０°の位相差をもって形成される２つの偏心部４ａ，４ｂを一体に備えている。各偏心部４ａ，４ｂは互いに同一直径をなし、各シリンダ８Ａ，８Ｂ内径部に位置するよう組み立てられる。各偏心部４ａ，４ｂの周面には、互いに同一直径をなす偏心ローラ１３ａ，１３ｂが嵌合される。
【００２２】
上記第１のシリンダ８Ａと第２のシリンダ８Ｂは、中間仕切り板７と主軸受９および副軸受１１で上下面が区画され、内部に第１のシリンダ室１４ａと第２のシリンダ室１４ｂが形成される。各シリンダ室１４ａ，１４ｂは互いに同一直径および高さ寸法に形成され、上記偏心ローラ１３ａ，１３ｂがそれぞれ偏心回転自在に収容される。
【００２３】
各偏心ローラ１３ａ，１３ｂの高さ寸法は、各シリンダ室１４ａ，１４ｂの高さ寸法と同一に形成される。したがって、偏心ローラ１３ａ，１３ｂは互いに１８０°の位相差があるが、シリンダ室１４ａ，１４ｂで偏心回転することにより、同一の排除容積に設定される。各シリンダ８Ａ，８Ｂには、シリンダ室１４ａ，１４ｂと連通するベーン室２２ａ，２２ｂが設けられている。各ベーン室２２ａ，２２ｂには、ベーン１５ａ，１５ｂがシリンダ室１４ａ，１４ｂに対して突没自在に収容される。
【００２４】
図２は、第１のシリンダ８Ａと第２のシリンダ８Ｂを分解して示す斜視図である。
上記ベーン室２２ａ，２２ｂは、ベーン１５ａ，１５ｂの両側面が摺動自在に移動できるベーン収納溝１２３ａ，１２３ｂと、各ベーン収納溝１２３ａ，１２３ｂ端部に一体に連設されベーン１５ａ，１５ｂの後端部が収容される縦孔部１２４ａ，１２４ｂとからなる。
【００２５】
上記第１のシリンダ８Ａには、外周面とベーン室２２ａとを連通する横孔２５が設けられ、ばね部材２６が収容される。ばね部材２６は、ベーン１５ａの背面側端面と密閉ケース１内周面との間に介在され、ベーン１５ａに弾性力（背圧）を付与して、この先端縁を偏心ローラ１３ａに接触させる圧縮ばねである。
【００２６】
上記第２のシリンダ８Ｂ側のベーン室２２ｂにはベーン１５ｂ以外に何らの部材も収容されていないが、後述するようにベーン室２２ｂの設定環境と、後述する圧力切換え機構（手段）Ｋの作用に応じて、ベーン１５ｂの先端縁を上記偏心ローラ１３ｂに接触させるようになっている。各ベーン１５ａ，１５ｂの先端縁は平面視で半円状に形成されており、平面視で円形状の偏心ローラ１３ａ，１３ｂ周壁に偏心ローラ１３ａの回転角度にかかわらず線接触できる。
【００２７】
偏心ローラ１３ａ，１３ｂがシリンダ室１４ａ，１４ｂの内周壁に沿って偏心回転したとき、ベーン１５ａ，１５ｂはベーン収納溝１２３ａ，１２３ｂに沿って往復運動し、かつベーン後端部が縦孔部１２４ａ，１２４ｂから進退自在となる作用ができる。上述したように、上記第２のシリンダ８Ｂの外形寸法形状と、中間仕切板７および副軸受け１１の外径寸法との関係から、第２のシリンダ８Ｂの外形一部は密閉ケース１内に露出する。
【００２８】
この密閉ケース１への露出部分が上記ベーン室２２ｂに相当するように設計されており、したがってベーン室２２ｂおよびベーン１５ｂ後端部はケース内圧力を直接的に受けることになる。特に、第２のシリンダ８Ｂおよびベーン室２２ｂは構造物であるからケース内圧力を受けても何らの影響もないが、ベーン１５ｂはベーン室２２ｂに摺動自在に収容され、かつ後端部がベーン室２２ｂの縦孔部１２４ｂに位置するので、ケース内圧力を直接的に受ける。
【００２９】
そしてさらに、上記ベーン１５ｂの先端部が第２のシリンダ室１４ｂに対向しており、ベーン先端部はシリンダ室１４ｂ内の圧力を受ける。結局、上記ベーン１５ｂは先端部と後端部が受ける互いの圧力の大小に応じて、圧力の大きい方から圧力の小さい方向へ移動するよう構成されている。
【００３０】
各シリンダ８Ａ，８Ｂには上記取付けボルト１０，１２が挿通するもしくは螺挿される取付け用孔もしくはねじ孔が設けられ、第１のシリンダ８Ａのみ円弧状のガス通し用孔部２７が設けられている。特に、上記第２のシリンダ８Ｂ側のベーン室２２ｂに、シリンダ室１４ｂに導かれる吸込み圧力と、ベーン室２２ｂに導かれる密閉ケース１内圧力との差圧よりも小さい力で、ベーン１５ｂを偏心ローラ１３ｂから引き離す方向に付勢する保持機構４５が設けられる。
【００３１】
上記保持機構４５は、永久磁石、電磁石もしくは弾性体のいずれかを用いればよい。なお説明すると、保持機構４５は第２のシリンダ室１４ｂにかかる吸込み圧力とベーン室２２ｂにかかる密閉ケース１内圧力との差圧よりも小さい力で、上記ベーン１５ｂを偏心ローラ１３ｂから引き離す方向に付勢保持する。
【００３２】
保持機構４５として永久磁石を備えることにより、常に所定の力でベーン１５ｂを磁気吸引する。あるいは、永久磁石に代って電磁石を備え、必要に応じて磁気吸引するようにしてもよい。あるいは、保持機構は弾性体である引張りばねとする。この引張りばねの一端部をベーン１５ｂの背面端部に掛止して、常に所定の弾性力で引張り付勢するようにしてもよい。
【００３３】
再び図１に示すように、上記密閉ケース１の上端部には、吐出管１８が接続される。この吐出管１８は、凝縮器１９と、膨張機構２０および蒸発器２１を介してアキュームレータ１７に接続され、これらで冷凍サイクル装置が構成される。アキュームレータ１７底部には、圧縮機Ｒに対する第１の吸込み管１６ａおよび、第２の吸込み管１６ｂが接続される。第１の吸込み管１６ａは密閉ケース１と第１のシリンダ８Ａ側部を貫通し、第１のシリンダ室１４ａ内に直接連通する。第２の吸込み管１６ｂは密閉ケース１を介して第２のシリンダ８Ｂ側部を貫通し、第２のシリンダ室１４ｂ内に直接連通する。
【００３４】
また、分岐管Ｐ１として、この一端が圧縮機Ｒと凝縮器１９とを連通する吐出管１８の中途部に接続され、他端が上記第２のシリンダ室１４ｂとアキュームレータ１７を連通する第２の吸込み管１６ｂの中途部に接続される。この分岐管Ｐ１の中途部には、第１の開閉弁２８が設けられる。なお、図に二点鎖線で示すように、分岐管Ｐ１の一端部を上記密閉ケース１の周壁を貫通して内部に臨ませた状態にしても支障がない。要は、分岐管Ｐ１の一端が冷凍サイクルの高圧側にあればよい。
【００３５】
上記第２の吸込み管１６ｂで、分岐管Ｐの分岐部よりも上流側には第２の開閉弁２９が設けられる。上記第１の開閉弁２８と第２の開閉弁２９は、それぞれ電磁弁であって、上記制御部４０からの電気信号に応じて開閉制御されるようになっている。このようにして、第２のシリンダ室１４ｂに接続される第２の吸込み管１６ｂ、分岐管Ｐ１、第１の開閉弁２８および第２の開閉弁２９とで圧力切換え機構Ｋが構成され、この圧力切換え機構Ｋの切換え作動に応じて、第２のシリンダ８Ｂに備えられる第２のシリンダ室１４ｂに吸込み圧もしくは吐出圧が導かれるようになっている。
【００３６】
なお、上記アキュームレータ１７の構成は、密閉容器からなるアキュームレータ本体１７Ａの上端に蒸発器２１に連通する冷媒管Ｐａが挿通され、かつアキュームレータ本体１７Ａ内に第１の吸込み管部２３ａと第２の吸込み管部２３ｂが並列状態で収容される。アキュームレータ本体１７Ａの下端部において、第１の吸込み管部２３ａには上記第１のシリンダ室１４ａに連通する第１の吸込み管１６ａが接続され、第２の吸込み管部２３ｂには上記第２のシリンダ室１４ｂに連通する第２の吸込み管１６ｂが接続される。
【００３７】
アキュームレータ本体１７Ａ内における各吸込み管部２３ａ，２３ｂの所定部位には、それぞれ油戻し孔２４ａ，２４ｂが設けられていて、アキュームレータ本体１７Ａ内で気液分離された液冷媒中に混合する潤滑油を、直接第１、第２の吸込み管１６ａ，１６ｂから各シリンダ室１４ａ，１４ｂに戻し案内できるようになっている。
【００３８】
特に、第２の吸込み管部２３ｂに設けられる油戻し孔２４ｂと、第２の吸込み管１６ｂに設けられる第２の開閉弁２９および、第２の吸込み管１６ｂに接続される分岐管Ｐ１の接続位置との相互関係は、第２の吸込み管１６ｂにおける分岐管Ｐ１の接続部ｄよりも上流側で、かつアキュームレータ１７内の第２の吸込み管部２３ｂに開口する油戻し孔２４ｂよりも下流側に第２の開閉弁２９が設けられることになる。
【００３９】
つぎに、上述のロータリ式密閉形圧縮機Ｒを備えた冷凍サイクル装置の作用について説明する。
（１）    通常運転（全能力運転）を選択した場合：
制御部４０は、圧力切換え機構Ｋを構成する第１の開閉弁２８を閉成し、第２の開閉弁２９を開放するよう制御する。そして、制御部４０はインバータ３０を介して電動機部３に運転信号を送る。回転軸４が回転駆動され、偏心ローラ１３ａ，１３ｂは各シリンダ室１４ａ，１４ｂ内で偏心回転を行う。第１のシリンダ８Ａにおいては、ベーン１５ａがばね部材２６によって常に弾性的に押圧付勢されるところから、ベーン１５ａの先端縁が偏心ローラ１３ａ周壁に摺接して第１のシリンダ室１４ａ内を吸込み室と圧縮室に二分する。
【００４０】
偏心ローラ１３ａのシリンダ室１４ａ内周面転接位置とベーン収納溝２３ａが一致し、ベーン１５ａが最も後退した状態で、このシリンダ室１４ａの空間容量が最大となる。冷媒ガスはアキュームレータ１７から第１の吸込管１６ａを介して上部シリンダ室１４ａに吸込まれ充満する。偏心ローラ１３ａの偏心回転にともなって、偏心ローラの第１のシリンダ室１４ａ内周面に対する転接位置が移動し、このシリンダ室１４ａの区画された圧縮室の容積が減少する。すなわち、先に第１のシリンダ室１４ａに導かれたガスが徐々に圧縮される。
【００４１】
回転軸４が継続して回転され、第１のシリンダ室１４ａの圧縮室の容量がさらに減少してガスが圧縮され、所定圧まで上昇したところで図示しない吐出弁が開放する。高圧ガスはバルブカバーａを介して密閉ケース１内に吐出され充満する。そして、密閉ケース上部の吐出管１８から吐出される。
【００４２】
一方、圧力切換え機構Ｋを構成する第１の開閉弁２８が閉成されているので、第２のシリンダ室１４ｂに吐出圧（高圧）が導かれることはない。第２の開閉弁２９は開放されているので、上記蒸発器２１で蒸発しアキュームレータ１７で気液分離された低圧の蒸発冷媒が第２の吸込み管１６ｂを介して第２のシリンダ室１４ｂに導かれる。
【００４３】
したがって、第２のシリンダ室１４ｂは吸込み圧（低圧）雰囲気となる一方で、ベーン室２２ｂが密閉ケース１内に露出して吐出圧（高圧）下にある。上記ベーン１５ｂにおいては、その先端部が低圧条件となり、かつ後端部が高圧条件となって、前後端部で差圧が存在する。この差圧の影響で、ベーン１５ｂの先端部が偏心ローラ１３ｂに摺接するように押圧付勢される。すなわち、第１のシリンダ室１４ａ側のベーン１５ａがばね部材２６により押圧付勢され圧縮作用が行われるのと全く同様の圧縮作用が第２のシリンダ室１４ｂでも行われる。
【００４４】
結局、ロータリ式密閉形圧縮機Ｒにおいては、第１のシリンダ室１４ａと、第２のシリンダ室１４ｂとの両方で圧縮作用がなされる、全能力運転が行われることになる。密閉ケース１から吐出管１８を介して吐出される高圧ガスは、凝縮器１９に導かれて凝縮液化し、膨張機構２０で断熱膨張し、蒸発器２１で熱交換空気から蒸発潜熱を奪って冷房作用をなす。そして、蒸発したあとの冷媒はアキュームレータ１７に導かれて気液分離され、再び第１、第２の吸込み管１６ａ，１６ｂから圧縮機Ｒの圧縮機構部２に吸込まれて上述の経路を循環する。
【００４５】
なお、上記保持機構４５を備えることにより、設定された磁気吸引力あるいは引張り弾性力でベーン１５ｂに対して偏心ローラ１３ｂから引き離す方向に付勢する。そのため、全能力運転時に保持機構４５がベーン１５ｂの往復動に対して悪影響を与えることがない。能力半減運転時に保持機構４５はベーン１５ｂの先端部がシリンダ室１４ｂ周壁から没入する上死点付近位置に保持するよう付勢し、ベーン１５ｂは偏心ローラ１３ｂから引き離す方向に保持される。
【００４６】
この能力半減運転時においても、第２のシリンダ室１４ｂで偏心ローラ１３ｂが偏心回転することには変りがなくカラ運転が行われる。偏心ローラ１３ｂの周壁がベーン１５ｂ先端部と対向するベーン１５ｂの上死点位置に至っても、ベーン１５ｂは保持機構４５に保持されているので、この先端部は偏心ローラ１３ｂと接触しない。
【００４７】
たとえば、上記保持機構４５を備えておらず、ベーン１５ｂを全くの自由状態とすると、能力半減運転時においてベーン１５ｂ先端部が偏心ローラ１３ｂに接触を繰り返してベーン室２２ｂで踊る。したがって、保持機構４５を備えていないと、ベーン１５ｂの偏心ローラ１３ｂ接触による異常音の発生や、ベーン１５ｂの破損に至る虞れがあるが、保持機構４５を備えたことで上述の不具合を除去できる。
【００４８】
（２）    特別運転（能力半減運転）を選択した場合：
特別運転（圧縮能力を半減する運転）を選択すると、制御部４０は圧力切換え機構Ｋの第１の開閉弁２８を開放し、第２の開閉弁２９を閉成するように切換え設定する。第１のシリンダ室１４ａにおいては上述したように通常の圧縮作用がなされ、密閉ケース１内に吐出された高圧ガスが充満してケース内高圧となる。吐出管１８から吐出される高圧ガスの一部が分岐管Ｐに分流され、開放された第１の開閉弁２８および第２の吸込み管１６ｂを介して第２のシリンダ室１４ｂ内に直接、導入される。
【００４９】
上記第２のシリンダ室１４ｂが吐出圧（高圧）雰囲気にある一方で、ベーン室２２ｂはケース内高圧と同一の状況下にあることには変りがない。そのため、ベーン１５ｂは前後端部とも高圧の影響を受けていて、前後端部において差圧が存在しない。ベーン１５ｂはローラ１３ｂ外周面から離間した位置で移動することなく停止状態を保持し、第２のシリンダ室１４ｂでの圧縮作用は行われない。結局、第１のシリンダ室１４ａでの圧縮作用のみが有効であり、能力を半減した運転がなされることになる。
【００５０】
また、第２のシリンダ室１４ｂの内部は高圧となっているので、密閉ケース１内から第２のシリンダ室１４ｂ内への圧縮ガスの漏れは発生せず、それによる損失も発生しない。したがって、圧縮効率の低下なしに能力を半分にした運転が可能となる。
【００５１】
たとえば、圧縮機構部２の排除容積を半減させた能力になるように回転数を調整する場合と比較して、上述の能力半減運転を採用することにより通常の運転と同一の高回転を保持した状態で行うことができて圧縮効率の向上を得られる。そして、圧縮機構部２における潤滑性により定まる最低回転数（すなわち、最小能力）を、排除容積を半減可変することよりも下げることができ、最小能力を拡大してきめの細かい温度・湿度制御が可能な冷凍サイクル装置を提供できる。圧縮機Ｒ内ではベーン１５ｂを付勢するばね部材を省略するだけの単純な構造で容量可変が可能となり、コスト的に有利であり、製造性に優れ、かつ高効率が得られる。
【００５２】
最大能力の必要時には２シリンダ運転により所定能力を確保し、１台の圧縮機で幅広い能力を確保できる。すなわち、第１の開閉弁２８を運転モードに応じて開閉制御することにより、容易に必要な能力を得られる。特に、能力半減運転の際の圧縮機Ｒへの油戻りを確保して圧縮機構部２の潤滑性を保持する。
【００５３】
たとえば、第２の開閉弁２９を第２の吸込み管部２３ｂに設けられる油戻し孔２４ｂよりも上流側に設けると、能力半減運転の際に高圧冷媒が上記油戻し孔２４ｂを介してアキュームレータ１７内に逆流し、第１のシリンダ室１４ａにおける圧縮能力が大幅に低下してしまう。また、上記油戻し孔２４ｂがないと通常の全能力運転の際に潤滑性が低下する。そのため、上述のごとき設定が必要不可欠となる。
【００５４】
なお、上記圧力切換え機構Ｋは、上記第２の開閉弁２９に代って逆止弁２９Ａを備えてもよい。この逆止弁２９Ａは、アキュームレータ１７から第２のシリンダ室１４ｂ側への冷媒の流通を許容し、逆方向の流れを阻止する。
【００５５】
全能力運転を選択すると、第１の開閉弁２８が閉成され第２の吸込み管１６ｂに導かれる低圧ガスが逆止弁２９Ａを介して第２のシリンダ室１４ｂに導入される。第２のシリンダ室１４ｂが吸込み圧（低圧）となり、ベーン室２２ｂがケース内高圧となって、ベーン１５ｂの前後端部において差圧が生じる。上記ベーン１５ｂは常に第２のシリンダ室１４ｂに突出するよう背圧を掛けられ、偏心ローラ１３ｂに接触して圧縮作用が行われる。当然、第１のシリンダ室１４ａでも圧縮作用が行われているので、全能力運転をなす。
【００５６】
能力半減運転を選択すると、第１の開閉弁２８が開放される。吐出管１８から分岐管Ｐ１に導かれる高圧ガスの一部が第１の開閉弁２８を介して第２の吸込み管１６ｂに導かれる。そして、逆止弁２９Ａでアキュームレータ１７への流れを阻止され、全て第２のシリンダ室１４ｂに導入される。第２のシリンダ室１４ｂが高圧となる一方で、ベーン室２２ｂが高圧であるので、ベーン１５ｂの前後端部において差圧が存在しない。ベーン１５ｂの位置が変らず、したがって第２のシリンダ室１４ｂでは圧縮作用が行われない。結局、第１のシリンダ室１４ａのみの能力半減運転をなす。
【００５７】
上記逆止弁２９Ａ（もしくは、第２の開閉弁２９。以下同）を第２の吸込み管１６ｂに備えた場合は、この逆止弁２９Ａの位置をアキュームレータ１７と第２の吸込み管１６ｂとの溶接固着部ｅから所定間隔（少なくとも１０ｍｍ以上）を存して設けることを特徴の一つとしている。すなわち、上記逆止弁２９Ａの弁体は薄板からなっているので熱影響を受け易いが、所定間隔を存した位置にあればアキュームレータ１７と第２の吸込み管１６ｂとを溶接固着する際の熱影響を可能な限り受けずにすむ。
【００５８】
図３は、第２の実施の形態のロータリ式密閉形圧縮機Ｒとアキュームレータ１７の接続構造を説明する図である。
上記アキュームレータ１７は、アキュームレータ本体１７Ａ内に収容される第１、第２の吸込み管部２３ａ，２３ｂから一体に第１、第２の吸込み管１６ａ，１６ｂがアキュームレータ本体１７Ａの直下部へ延設される。第２の吸込み管１６ｂに設けられる逆止弁２９Ａａは、アキュームレータ本体１７Ａの直下部に位置する。
【００５９】
すなわち、図１での効果とともに、アキュームレータ１７と第１、第２の吸込み管２３ａ，２３ｂおよび逆止弁２９Ａａが略一体構造化されるので、アキュームレータ１７の高容量と高信頼性が確保できる。上記逆止弁２９Ａａは、アキュームレータ１７と第２の吸込み管１６ｂとの溶接固着部ｅからの熱影響を避けるために、少なくとも１０ｍｍ以上は離間している。
【００６０】
また、アキュームレータ１７の取付け位置が上るが、アキュームレータ本体１７Ａを構成する下カップＡ１をアキュームバンドＡ２で圧縮機Ｒの密閉ケース１に取付け固定することができ、横方向の省スペース化を図れる。
【００６１】
図４は、第３の実施の形態のロータリ式密閉形圧縮機Ｒとアキュームレータ１７の接続構造を説明する図である。
アキュームレータ本体１７Ａの直下部に逆止弁２９Ａｂを取付けることを前提として、アキュームレータ本体１７Ａ内部を上下分離板３２を介して上下に２分割し、この上下分離板３２の上部にて容量を確保するとともに、上部に設けられるリテーナ３３と上下分離板３２との間に連通管３４を備えて、上下分離板３２の下部においても容量を確保する。
【００６２】
すなわち、図３での構成による効果とともに、アキュームレータ本体１７Ａ内の第１、第２の吸込み管部２３ａ１，２３ｂ１の長さを通常（従来）と同じ長さにできて、過給効果の低下による性能低下が避けられる。さらに、本来の気液分離性能を得られて高信頼性を確保する。
【００６３】
図５は、第４の実施の形態のロータリ式密閉形圧縮機Ｒとアキュームレータ１７の概略の平面図である。すなわち、図３および図４の構成では、第２の吸込み管１６ｂに設けられる逆止弁２９Ａａ，２９Ａｂをアキュームレータ１７の直下部に備えたが、これに限定されるものではなく、上記逆止弁２９Ａａ，２９Ａｂを上記密閉ケース１とアキュームレータ１７との間で、かつ密閉ケース１の外周面とアキュームレータ１７の外周面との接線で形成される、ハッチングで示す投影面積Ｓ内に設けたことを特徴の一つとしている。したがって、アキュームレータ１７と逆止弁２９Ａａ，２９Ａｂとが互いに並べて配置されることもあり、逆止弁の設置による水平方向のスペースの増大防止を図れる。
【００６４】
図６は、第５の実施の形態のロータリ式密閉形圧縮機Ｒの一部とアキュームレータ１７の概略の断面図である。
上記第２のシリンダ室１４ｂに連通する第２の吸込み管１６ｂは中途部において２分割され、一方の分割吸込み管１６ｂ１が上記アキュームレータ１７に固着され、他方の分割吸込み管１６ｂ２が上記密閉ケース１に固着される。すなわち、アキュームレータ１７に固着される分割吸込み管１６ｂ１はアキュームレータ本体１７Ａ内の第２の吸込み管部２３ｂと同一管からなる。この分割吸込み管１６ｂ１のアキュームレータ本体１７Ａから突出する下端部は拡径加工されていて、密閉ケース１に固着される分割吸込み管１６ｂ２の上端部にオーバーラップして嵌め込まれる。
【００６５】
作業順序として予め、アキュームレータ本体１７Ａを上下逆にして、第１の吸込み管１６ａと、一方の分割吸込み管１６ｂ１（第２の吸込み管部２３ｂと同一管）を溶接固着する。このとき、逆止弁２９Ａｃはセットされていないので、ｅ部位においてアキュームレータ本体１７と分割吸込み管１６ｂ１との溶接固着の熱影響を逆止弁２９Ａｃが受けることはない。
【００６６】
ついで、分割吸込み管１６ｂ１の開口端から逆止弁２９Ａｃを挿入する。このとき、ハッチングで示す弁体と弁座部とからなる逆止弁部Ａｃ２から挿入し、逆止弁本体Ａｃ１が開口端側になる。ついで、分割吸込み管１６ｂ１の開口端に他方の分割吸込み管１６ｂ２を挿入し、これら相互を一体に溶接固着（ｇ部位）する。上記逆止弁本体Ａｃ１はパイプ状をなしていて、分割吸込み管１６ｂ１と溶接するのに何らの不具合もない。
【００６７】
この状態で、アキュームレータ本体１７Ａから第１の吸込み管１６ａと、第２の吸込み管１６ｂ（実際には、分割吸込み管１６ｂ２）が突出しており、これら吸込み管の端部を密閉ケース１に溶接固着することになる。
【００６８】
すなわち、アキュームレータ１７に連通する第２の吸込み管１６ｂを分割し、分割吸込み管１６ｂ１内に逆止弁本Ａｃ１を挿入して配置することにより、省スペース化を図れるとともに、アキュームレータ１７の取付け高さを低くでき、吸込み管１６ｂの長さを短縮できて性能向上を得られる。逆止弁２９Ａｃの逆止弁部Ａｃ２の位置は溶接固着時の熱影響を受けることの少ない距離を確保できて、信頼性を得られる。逆止弁２９Ａｃを構成する逆止弁部Ａｃ２は２重巻き構造となるため動作音の低減効果を奏する。第２の吸込み管１６ｂとして、油戻し孔２４ｂと、逆止弁位置決め用のノッチやテーパー部を備えてもよく、逆止弁本体Ａｃ１に分割吸込み管１６ｂ２の位置決め部（突起など）ｈがあってもよい。
【００６９】
また、逆止弁２９Ａをアキュームレータ１７の直下部に設けると、逆止弁２９Ａはアキュームレータ１７と第２の吸込み管１６ｂとの溶接固着部ｅから熱影響を避けるため所定間隔だけ離間させなければならないので、アキュームレータ１７の位置が高くなる。一方、アキュームレータ１７の容積を有効に利用するためには、アキュームレータ１７内における吸込み管部２３ａ，２３ｂの長さを従来と同一にすると、吸込み管１６ａ，１６ｂのトータル長が長くなり、吸込み抵抗が増大して圧縮性能が低下してしまう。そこで、図６の構成を採用することにより、アキュームレータ１７の高さをある程度低くでき、上述の不具合解消に役立つ。
【００７０】
図７は、第６の実施の形態のロータリ式密閉形圧縮機Ｒとアキュームレータ１７の接続構造を説明する図である。
【００７１】
上記第２のシリンダ室１４ｂに連通する第２の吸込み管１６ｂをアキュームレータ１７の側部に立ち上げ、この立上り部に逆止弁２９Ａｄを備えてなる。したがって、アキュームレータ１７と逆止弁２９Ａｄとは並べて配置されることになり、アキュームレータ１７の高さを従来と同様、低くでき省スペース化に役立つ。逆止弁２９Ａｄの位置がアキュームレータ１７と第２の吸込み管１６ｂとの溶接固着部ｅから充分な距離をもって離間するので、熱影響を受けずにすみ高信頼性を確保できる。
【００７２】
図８は、第７の実施の形態のロータリ式密閉形圧縮機Ｒとアキュームレータ１７の接続構造を説明する図である。
【００７３】
第６の実施の形態と同様、アキュームレータ１７と逆止弁２９Ａｅとが並べられた状態となっている。ただし、ここではアキュームレータ本体１７Ａ内の第２の吸込み管部２３ｂ２が略中間部で水平に折曲されて、アキュームレータ本体１７Ａ周壁から外部に突出し第２の吸込み管１６ｂとなっている。上記第２の吸込み管部２３ｂ２がアキュームレータ本体１７Ａ周壁から外部に突出する直前の部位に油戻し孔２４ｂが設けられている。
【００７４】
アキュームレータ１７の高さを従来と同様、低くでき省スペース化に役立つ。逆止弁２９Ａｅの位置がアキュームレータ１７と第２の吸込み管１６ｂとの溶接固着部ｅから充分な間隔を存するので、高信頼性を確保できる。
【００７５】
図９は、第８の実施の形態のロータリ式密閉形圧縮機Ｒとアキュームレータ１７の接続構造を説明する図である。
【００７６】
第７の実施の形態と同様、アキュームレータ１７と逆止弁２９Ａｆとが並べられた状態となっていて、アキュームレータ本体１７Ａ内の第２の吸込み管部２３ｂ３が略中間部で水平に折曲されて、アキュームレータ本体１７Ａ周壁から外部に突出し第２の吸込み管１６ｂとなっている。上記アキュームレータ１７は、アキュームレータ本体１７Ａの上下略中間部に上下分離板３２が設けられていて、上部側に設けられるリテーナ３３との間に連通管３４が介設される。
【００７７】
第２の吸込み管部２３ｂ３として、上端部はリテーナ３３と同位置に開口され、下端部がリテーナ３３と上下分離板３２との間で折曲されて逆止弁本体２３ｂ３周壁から外部へ突出する。この折曲部分に油戻し孔２４ｂが設けられ、第１の吸込み管部２３ａ１の上端開口は上下分離板３２の下部側に位置している。
【００７８】
ここでも同様に、アキュームレータ１７の高さを低くでき、省スペース化に役立つ。逆止弁２９Ａｆはアキュームレータ１７と第２の吸込み管１６ｂとの溶接固着部ｅから充分な距離を存した位置に設けられるので、熱影響を受けずに高信頼性を確保できる。
【００７９】
図１０は、第９の実施の形態のロータリ式密閉形圧縮機Ｒとアキュームレータ１７の接続構造を説明する図である。
【００８０】
第２のシリンダ室１４ｂに連通する第２の吸込み管１６ｂは、アキュームレータ本体１７Ａ内の第２の吸込み管部２３ｂ４と一体化されていることは変わりがないが、第２の吸込み管部２３ｂ４は上部と下部とで略Ｕ字状に曲成され、全体的に蛇行状となっている。そして、第２の吸込み管部２３ｂ４の所定部位に逆止弁２９Ａｇが収容される。油戻し孔２４ｂは下部のＵ字状曲成部に設けられていて、第２の吸込み管１６ｂに接続する分岐管Ｐ１の接続部ｄよりも上流側に位置することは言うまでもない。
【００８１】
このような構成であれば、アキュームレータ１７の高さを従来と同様、低い位置に備えることができ省スペース化を得られる。逆止弁２９Ａｇをアキュームレータ本体１７Ａ内部に設置するところから、逆止弁２９Ａｇの作動音がアキュームレータ１７から外部に漏れ出ることがなく、騒音の低減を図れる。逆止弁２９Ａｇの位置が、アキュームレータ１７と第２の吸込み管１６ｂとの溶接固着部ｅから充分に離間するので、熱影響を受けずに高信頼性を得る。
【００８２】
図１１は、第１０の実施の形態のロータリ式密閉形圧縮機Ｒとアキュームレータ１７の接続構造を説明する図である。
第２のシリンダ室１４ｂに連通する第２の吸込み管１６ｂは、アキュームレータ本体１７Ａ内の第２の吸込み管部２３ｂ５と一体になっていることは変りがないが、上記第２の吸込み管部２３ｂ５のほとんど大部分は逆止弁２９Ａｈとなっていて、逆止弁２９Ａｈはアキュームレータ本体１７Ａに略収容状態にある。ただし、ここでは油戻し孔を設けていない。
【００８３】
したがって、アキュームレータ１７の高さを低い位置に備えることができ省スペース化を得られる。逆止弁２９Ａｈをアキュームレータ１７内部に設置するところから、逆止弁２９Ａｈの作動音がアキュームレータ１７から外部に漏れ出ることがなく、運転騒音の低減を図れる。
【００８４】
図１２は、第１１の実施の形態のロータリ式密閉形圧縮機Ｒとアキュームレータ１７の接続構造を説明する図である。
上記第１のシリンダ室１４ａに連通する第１の吸込み管１６ａには第１のアキュームレータ１７０Ａが接続され、第２のシリンダ室１４ｂに連通する第２の吸込み管１６ｂには第２のアキュームレータ１７０Ｂが接続される。すなわち、第１、第２の吸込み管１６ａ，１６ｂにそれぞれ独立した構成の第１、第２のアキュームレータ１７０Ａ，１７０Ｂが接続されることになる。各アキュームレータ１７０Ａ，１７０Ｂ内において、各吸込み管１６ａ，１６ｂと一体の吸込み管部２３ａ４（２３ｂ４は図示せず）を備えていることは勿論である。
【００８５】
特に、第２のアキュームレータ１７０Ｂの上流側である冷媒管Ｐａに、一端が冷凍サイクルの高圧側に接続される分岐管Ｐ１の他端が接続される。そして、上記冷媒管Ｐａにおける分岐管Ｐ１の接続部から上流側に逆止弁２９Ａｉが設けられる。
【００８６】
このような構成であれば、分岐管Ｐ１と第２のアキュームレータ１７Ｂを介して第２のシリンダ室１４ｂに吸込み圧もしくは吐出圧を導くことができるとともに、逆止弁２９Ａｉの位置を冷媒管Ｐａと第２のアキュームレータ１７０Ｂとの溶接固着部ｅから充分に離間でき、製造信頼性を確保できる。そして、逆止弁２９Ａｉを取付ける前に、少なくとも一方の圧縮機能を有するか否かの出荷検査が可能となり、高信頼性を得る。
【００８７】
また、上記分岐管Ｐ１と逆止弁２９Ａｉを、先に説明したものと同様、第１のアキュームレータ１７０Ｂと第２のシリンダ室１４ｂとを連通する第２の吸込み管１６ｂに設けるようにしても何らの支障がない。
なお、上述した全てのロータリ式密閉形圧縮機Ｒとアキュームレータ１７は、図１に示す冷凍サイクルに用いることの他、いわゆるヒートポンプ式冷凍サイクルにも用いることができ、冷房運転時および暖房運転時の能力拡大と高効率化を得られる。
【００８８】
【発明の効果】
以上述べたように本発明によれば、第１のシリンダと第２のシリンダを備えることを前提として、一方のシリンダのベーンに対する押圧付勢構造を省略化し、部品数と加工手間の軽減を図り、信頼性の向上を図れるロータリ式密閉形圧縮機と、このロータリ式密閉形圧縮機を備えた冷凍サイクル装置を提供できる。
【図面の簡単な説明】
【図１】本発明の第１の実施の形態に係る、ロータリ式密閉形圧縮機の縦断面図と、冷凍サイクル構成図。
【図２】同実施の形態に係る、第１のシリンダと第２のシリンダを分解した斜視図。
【図３】本発明の第２の実施の形態に係る、ロータリ式密閉形圧縮機とアキュームレータの接続構造を説明する図。
【図４】本発明の第３の実施の形態に係る、ロータリ式密閉形圧縮機とアキュームレータの接続構造を説明する図。
【図５】本発明の第４の実施の形態に係る、ロータリ式密閉形圧縮機とアキュームレータの接続構造を説明する図。
【図６】本発明の第５の実施の形態に係る、ロータリ式密閉形圧縮機とアキュームレータの接続構造を説明する図。
【図７】本発明の第６の実施の形態に係る、ロータリ式密閉形圧縮機とアキュームレータの接続構造を説明する図。
【図８】本発明の第７の実施の形態に係る、ロータリ式密閉形圧縮機とアキュームレータの接続構造を説明する図。
【図９】本発明の第８の実施の形態に係る、ロータリ式密閉形圧縮機とアキュームレータの接続構造を説明する図。
【図１０】本発明の第９の実施の形態に係る、ロータリ式密閉形圧縮機とアキュームレータの接続構造を説明する図。
【図１１】本発明の第１０の実施の形態に係る、ロータリ式密閉形圧縮機とアキュームレータの接続構造を説明する図。
【図１２】本発明の第１１の実施の形態に係る、ロータリ式密閉形圧縮機とアキュームレータの接続構造を説明する図。
【符号の説明】
１…密閉ケース、３…電動機部、２…圧縮機構部、２１…蒸発器、１７…アキュームレータ、１３ａ，１３ｂ…偏心ローラ、８Ａ…第１のシリンダ、１４ａ…第１のシリンダ室、８Ｂ…第２のシリンダ、１４ｂ…第２のシリンダ室、１５ａ，１５ｂ…ベーン、２２ａ，２２ｂ…ベーン室、２６…ばね部材、Ｋ…圧力切換え機構、１８…吐出管、１６ｂ…第２の吸込み管、２８…第１の開閉弁、Ｐ１…分岐管、２３ｂ…第２の吸込み管部、２４ｂ…油戻し孔、２９…第２の開閉弁、２９Ａ…逆止弁、Ｒ…ロータリ式密閉形圧縮機。
【図１】
2005009455.tif 000003
【図２】
2005009455.tif 000004
【図３】
2005009455.tif 000005
【図４】
2005009455.tif 000006
【図５】
2005009455.tif 000007
【図６】
2005009455.tif 000008
【図７】
2005009455.tif 000009
【図８】
2005009455.tif 000010
【図９】
2005009455.tif 000011
【図１０】
2005009455.tif 000012
【図１１】
2005009455.tif 000013
【図１２】
2005009455.tif 000014